(57)【特許請求の範囲】
【請求項１】
ステープラーであって、
前端と後端とを有する支持台と、
前記支持台の後端に枢動可能に接続されたマガジン組立体と、
前記マガジン組立体の上方で前記支持台の後端に枢動可能に接続されたトリガー組立体と、
前記支持台に取り付けられた脚部扁平化手段とを含み、
前記トリガー組立体は、前記支持台の後端に枢動可能に接続されたトリガー・レバーと、枢軸で前記トリガー・レバーに枢動可能に取り付けられた押し出し要素であって、前記支持台の方に伸びる２つの押し出しアームを有し、
前記脚部扁平化手段は、滑動台と、移動台と、アンビル要素とを有し、
前記滑動台は、前記支持台に滑動可能に取り付けられ、滑動台に形成された被押し出しセグメントを有し、前記押し出し要素である押し出しアームによって前記被押し出しセグメントは選択的に押し出され、
前記移動台は、作動可能に支持台に接続され、滑動台によって選択的に阻止され、前記滑動台が支持台に対して滑る前に移動台が下降しないように保持し、前端と、前記前端に形成された細長い穴とを有し、
前記アンビル要素は、前記移動台の細長い穴に取り付けられており、
前記トリガー組立体は、さらに、支持台の後端に枢動可能に接続された補助レバーを含み、前記補助レバーは、前記枢軸が滑動可能に取り付けられたレールを有することを特徴とするステープラー。
【請求項２】
前記支持台は、その後端に主軸を取り付けられ、
前記マガジン組立体とトリガー・レバーとは、主軸によって前記支持台に枢動可能に取り付けられ、
前記トリガー組立体の枢軸と、前記押し出し要素の押し出しアームと、前記滑動台の被押し出しセグメントとは、前記主軸を中心とした同一円周上に沿って配置された、請求項１に記載のステープラー。
【請求項３】
前記押し出し要素は２つの端部を有する頂板を有し、
前記押し出しアームは湾曲し、前記頂板の両端からそれぞれ伸び、各押し出しアームは互いに整列する軸穴を有し、
前記トリガー組立体の枢軸は、前記押し出し要素を前記トリガー・レバーに枢動可能に接続するための前記押し出しアームの枢軸穴を介して取り付けられた、請求項２に記載のステープラー。
【請求項４】
前記マガジン組立体は、頂部と、該頂部に形成されたフックを有するマガジン・キャップを含み、
前記押し出し要素の頂板は、前記マガジン・キャップ上で前記フックと係合する係合タップを有する、請求項３に記載のステープラー。
【請求項５】
前記トリガー・レバーは、その前端に取り付けられ前記マガジン・キャップに滑動可能に係合するステープル駆動タブを有し、
トリガー・スプリングは、前記トリガー・レバーと前記マガジン・キャップとの間に取り付けられ、それらに接触する、請求項４に記載のステープラー。
【請求項６】
前記補助レバーはその頂部に形成され該頂部から下降する２枚のサイド・ボードを有し、
前記補助レバーのレールは、前記両サイド・ボードにそれぞれ規定された２つのスロットを含み、
前記トリガー組立体の枢軸の両端は、前記補助レバーの両サイド・ボードのスロットにそれぞれ保持される、請求項５に記載のステープラー。
【請求項７】
前記トリガー・レバーは、その頂部に規定され互いに整列する２つの軸穴を有し、
前記トリガー組立体の枢軸は、前記トリガー・レバーの軸穴に取り付けられた、請求項６に記載のステープラー。
【請求項８】
前記支持台は、前端と、後端と、前記前端に規定された１対の案内穴と、前記前端に規定された取り付け穴とを有する細長い底板を含み、
前記滑動台は、その底部に形成され前記底部から突出する複数の係合タブであって、前記支持台の底板の案内穴と取り付け穴とにそれぞれ滑動可能に係合する、請求項７に記載のステープラー。
【請求項９】
前記支持台は、その底板に２つの枢動タブを形成し、
前記移動台は、その後端に２つの枢軸スタブを形成し、かつ、前記移動台を前記支持台に枢動可能に接続すべく、前記支持台上の前記枢動タブに回転可能に接続される、請求項８に記載のステープラー。
【請求項１０】
前記滑動台は、その前端に形成された接触リブを有し、
前記移動台はその前端において底部に形成された接触フランジであって前記滑動台上の接触リブと接触する接触フランジを有する、請求項９に記載のステープラー。
【請求項１１】
さらに、前記支持台の底部に取り付けられた基部ホルダーを含み、前記基部ホルダーは前端に規定された滑りチャンネルを含み、
前記アンビル要素は、前記基部ホルダーの滑りチャンネルに移動可能に取り付けられている、請求項１または１０に記載のステープラー。
【発明の詳細な説明】
【技術分野】
【０００１】
本発明は、ステープラー、特に、ステープルの両脚部を平坦に曲げる脚部扁平化手段に関する。
【背景技術】
【０００２】
従来のステープラーは、ステープルの脚部を曲げる脚部曲げ装置を備えている。しかし、従来の脚部曲げ装置は、ステープルの脚部を湾曲させるため、ステープルで留めた書類の厚さが厚い。湾曲された脚部は厚さの大きい書類を保持することができず、容易に変形し、人を傷つけやすい。そのため、前記諸問題を解決するため、台湾特許第１２２９０２６号または第１１２７４６３７号のような脚部扁平化手段を備えたステープラーが提案されている。
【０００３】
０２６特許は、Ｖ字形の駆動要素付き脚部扁平化手段を開示した。（特許文献１参照）。前記駆動要素の一端は、トリガー・レバーの前端に枢動可能に接続され、前記トリガー・レバーが押圧されると脚部扁平化手段を駆動する。しかし、駆動要素はトリガー・レバーの前端に接続されており、ステープラーを操作するには大きい力を必要とする。その上、前記従来のステープラーの構造は複雑であり、製作費が高い。さらに、従来のステープラーにステープルを詰め替えるには、ステープル・マガジンを開けるためにトリガー・レバーは大きい角度まで枢動されなければならないが、このためにステープラーはひっくり返りやすい。
【特許文献１】台湾特許第１２２９０２６号公報
【０００４】
６３７特許は、トリガー・レバーと脚部扁平化手段との間に滑り要素を備えたステープラーを開示した。（特許文献２参照）。トリガー・レバーが下降されると、滑り要素が移動されて脚部扁平化手段を作動させ、解除されたステープルの両脚部を折り曲げる。しかし、前記従来のステープルの滑り要素は、複雑な構造を有し、製造と組立が困難で時間がかかる。したがって、トリガー・レバーに作用する力は、滑り要素を介して脚部扁平化手段に効率的には伝わらない。
【特許文献２】台湾特許第１１２７４６３７号公報
【０００５】
台湾実用新案第２９９６２９号には他の従来のステープラーが開示されている。この６２９実用新案は、トリガー・レバーを接続するためのレバー・システムの中に駆動装置を形成し、省力効果を提供している。しかし、６２９実用新案の駆動装置もまた複雑な構造を有し、その製作費も高い。その上、トリガー・レバーは、ステープルを詰め替えるためにステープル・マガジンを開くのに大きい角度まで枢動しなければならず、ステープラーがひっくり返りやすい。
【０００６】
この欠点を克服するため、本発明は前記諸問題点を緩和または回避するステープラーを提供する。
【発明の開示】
【発明が解決しようとする課題】
【０００７】
本発明の主要目的は、省力レバー・システム付きステープラーと、ステープルの両脚部を平坦に曲げるために単一の支点を有するステープラーの伝達システムとを備え、構造を単純化し、かつ省力性能を備えるステープラーを提供することである。
【課題を解決するための手段】
【０００８】
前記ステープラーは、支持台と、マガジン組立体と、トリガー組立体と、脚部扁平化手段とを含む。前記支持台は、前端と後端とを有する。前記マガジン組立体は、前記支持台の後端に枢動可能に接続されている。前記トリガー組立体は、前記マガジン組立体上方で枢動可能に支持台に接続され、トリガー・レバーと押し出し要素とを有する。前記トリガー・レバーは、支持台の後端に枢動可能に取り付けられる。前記押し出し要素は、トリガー・レバーに枢軸で枢動可能に取り付けられ、支持台の方へ伸びる２つの押し出し腕を有する。前記脚部扁平化手段は、支持台に取り付けられ、滑動台と、移動台と、アンビル要素とを有する。前記滑動台は、前記支持台に滑動可能に取り付けられ、滑動台に形成された被押し出しセグメントを有し、押し出しアームにより前記押し出し要素によって選択的に押し出される。前記移動台は、操作可能に支持台に接続され、滑動台によって選択的に阻止され、滑動台が支持台に対して滑る前に移動台が下降しないように保持し、前端と、前記前端に形成された細長い穴とを有する。前記アンビル要素は、前記移動台の細長い穴に取り付けられる。
【発明を実施するための最良の形態】
【０００９】
図１及び２を参照するに、本発明に係るステープラーは、支持台１０と、マガジン組立体２０と、トリガー組立体３０と、脚部扁平化手段４０と、基部ホルダー５０とを含む。
【００１０】
支持台１０は、前端と、後端と、底部とを有し、底板１１と、底板１１に形成されその底板１１の両側部から上方向に突出する２枚のサイド・ボード１２とを含む。底板１１は細長く、前端と、後端と、1対の案内穴１１１と、取り付け穴１１２とを有する。案内穴１１１と取り付け穴１１２とは底板１１の前端に形成されている。
２つの枢動タブ１１４は、支持台１０の底板１１の中央に形成されている。ばね台１１３は、取り付け穴１１２と枢動タブ１１４との間で底板１１の中央に形成されている。
【００１１】
各サイド・ボード１２は、支持台１０の後端に規定され互いに整列する主軸穴１２１と、相互に整列する第２枢軸穴１２２とを有する。主軸１３は、マガジン組立体２０とトリガー組立体３０とを支持台１０に枢動可能に接続するため、両サイド・ボード１２に主軸穴１２１を介して取り付けられている。湾曲した制限スロット１２３は、第2枢軸穴１２２の近傍の各サイド・ボード１２に形成され、互いに整列している。各サイド・ボード１２は、さらに、その前端にフック１２４を形成している。
【００１２】
前記マガジン組立体２０は、前記支持台１０の後端に主軸１３で枢動可能に接続され、ステープル・マガジン２１と、マガジン・キャップ２３と、制限ロッド２２とを含む。
【００１３】
ステープル・マガジン２１は、支持台の後端に主軸１３で枢動可能に接続され、ステープルを内側に保持する。マガジンのばね１４は、支持台１０の底板１１とステープル・マガジン２１の底部との間に取り付けられている。ステープル・マガジン２１は、後端と、軸穴２１１と、２つのロッド穴２１２とを備える。軸穴２１１は、ステープル・マガジン２１の後端に形成され、主軸１３は、ステープル・マガジン２１を支持台１０に枢動可能に接続するように、軸穴２１１を介して取り付けられている。ロッド穴２１２は、ステープル・マガジン２１の底部の中央に形成され、支持台１０の側板１２の制限スロット１２３に対応する。
【００１４】
マガジン・キャップ２３は、支持台１０とステープル・マガジン２１とに主軸１３で接続され、頂部を有し、マガジン・キャップ２３の頂部にフック２３１を形成している。
【００１５】
制限ロッド２２は、ステープル・マガジン２１にロッド穴２１２を介して取り付けられ、支持台１０の制限スロット１２３にそれぞれ滑動可能に保持された２つの端部を有する。
【００１６】
さらに図３を参照するに、トリガー組立体３０は、主軸１３によってマガジン組立体２０の上方の位置で支持台１０の後端に枢動可能に接続され、トリガー・レバー３１と、押し出し要素３６と、枢軸３５と、補助レバー３４とを含む。
【００１７】
トリガー・レバー３１は、主軸１３によって支持台１０の後端に枢動可能に接続されている。トリガー・レバー３１は、前端と、後端と、中間部と、２つの軸穴３１１と、２つの軸穴３１２とを有する。軸穴３１１は、トリガー・レバー３１の後端に形成され、互いに整列している。主軸１３は、トリガー・レバー３１を支持台１０に枢動可能に接続するように、軸穴３１１を介して取り付けられる。軸穴３１２は、トリガー・レバー３１の中間部で頂部に形成され、互いに整列している。駆動タブ３２は、トリガー・レバー３１の前端に固定され、マガジン・キャップ２３と滑動可能に係合している。トリガーばね３３は、トリガー・レバー３１とマガジン・キャップ２３との間に取り付けられ、それらに当接している。
【００１８】
押し出し要素３６はＵ字形であり、枢軸３５によりトリガー・レバー３１に枢動可能に取り付けられ、頂板と、２つの押し出しアーム３６１とを有する。頂板は２つの端部と、マガジン・キャップ２３でフック２３１と係合する係合タップ３６３とを有する。押し出しアーム３６１は湾曲し、それぞれ頂板の両端部から支持台１０の方へ伸びている。各押し出しアーム３６１は、相互に整列する軸穴３６２を有する。
【００１９】
枢軸３５は、押し出し要素３６とトリガー・レバー３１に枢動可能に接続すべく、軸穴３１２及び３６２を介してトリガー・レバー３１と押し出しアーム３６１とに取り付けられている。トリガー組立体３０の枢軸３５と、押し出し要素３６の押し出しアーム３６１とは、主軸１３の中心で枢動ルートに沿って配置されている。
【００２０】
補助レバー３４は支持台１０の後端に枢動可能に接続され、補助レバー３４に形成されその頂部から下方に伸びる２枚の側板を有する。補助レバー３４の各側板の後端には枢軸スタブ３４１が形成され、補助レバー３４を支持台１０に枢動可能に接続するように、支持台１０の側板１２のうちの対応する一方における第二軸穴１２２に回転可能に取り付けられている。
【００２１】
補助レバー３４は、トリガー組立体３０の枢軸３５が滑動可能に取り付けられたレールを有する。補助レバー３４のレールは、その両側板にそれぞれ形成された２つのスロット３４２を含む。トリガー組立体３０の枢軸３５の両端は、それぞれ補助レバー３４の両側板のスロット３４２に滑動可能に保持される。
【００２２】
図２、５、６を参照するに、脚部扁平化手段４０は、支持台１０に取り付けられ、滑動台４１と、移動台４３と、アンビル要素４５とを含む。
【００２３】
滑動台４１は、支持台１０に滑動可能に取り付けられ、滑動台４１の上には被押し出しセグメント３６が形成され、被押し出しセグメント３６は押し出し要素３６の押し出しアーム３６１に対応し、押し出しアーム３６１によって選択的に押し出される。滑動台４１の被押し出しセグメントは、枢動ルートに沿って配置され、該枢動ルートに沿ってトリガー組立体３０の枢軸３５と、押し出し要素３６の押し出しアーム３６１が配置されている。好ましい実施例では、被押し出しセグメントは、滑動台４１の後端の両側に取り付けられた２つの被押し出しタブ４１２を含む。
【００２４】
滑動台４１は、さらに、その底部に形成され、そこから突出する複数の係合タブ４１１であって、それぞれが支持台１０の底板１１の案内穴と取り付け穴１１２とに滑動可能に係合する係合タブ４１１を有する。
【００２５】
滑動台４１は、さらに、その前端に形成された接触リブ４１５と、前記前端近傍で滑動台４１に形成された開口４１４とを有する。
【００２６】
引き戻しばね４２は、滑動台に反動力を与えるように支持台と滑動台４１との間に取り付けられている。好ましい実施例において、滑動台４１は、引き戻しばね４２を内部に保持するため、中央にスプリング収納穴４１３を有する。
【００２７】
移動台４３は、好ましくは支持台１０に作動可能に接続され、滑動台４１が支持台１０に対して滑動する前に移動台４３が下方に移動しないように滑動台４１によって選択的に阻止される。移動台４３は、前端と後端と、該前端に形成された細長い穴４３１とを有する。２個の枢動スタブ４３２は、移動台４３の後端に形成され、移動台４３を支持台１０に枢動可能に接続するように、支持台で枢動タブ１１４と枢動可能に接続されている。
【００２８】
移動台４３は、さらに、移動台４３の前端で底部に形成された接触フランジ（４３４）であって滑動台４１で接触リブ４１５に接触する接触フランジ４３４を有する。
【００２９】
その上、基部ばね（４４）は、滑動台４１の開口４１４に保持され、移動台４３に引き戻し力を与えるべく移動台４３と支持台１０の底板との間に取り付けられている。
【００３０】
アンビル要素４５は、移動台４３の細長い穴４３１に取り付けられ、支持ばね４６によって支持され、ステープル駆動タブ３２に対応する。
【００３１】
図１及び２を参照するに、基部ホルダー５０は支持台１０に取り付けられ、前端と、凹所５１と、２つの側壁５２と、２つのフッキング・アーム５３と、滑りチャンネル５４とを有する。
【００３２】
凹所５１は基部ホルダー５０の上面に形成され、支持台１０の底部を内側に保持し、側壁をそれぞれ基部ホルダー５０の両側部に形成している。フッキング・アーム５３は、支持台１０を基部ホルダー５０の上に確実に保持するため、両側壁５２に形成され、支持台１０の両サイド・ボード１２の前端と係合する。
【００３３】
滑りチャンネル５４は、アンビル要素４５を移動可能に保持するように基部ホルダー５０の前端に形成されている。好ましい実施例では、滑りチャンネル５４は正面タブ５４１と、側壁５２の近傍に形成された２つのサイド・タブ５４２との間に規定されている。
【００３４】
図１及び４を参照するに、ステープルを詰めるには、トリガー組立体３０を上に引き上げ、トリガー・レバー３１を支持台１０に対して枢動させると、枢軸３５が補助レバー３４上のレールに沿って滑動する。その結果、マガジン・キャップ２３が、トリガー・レバー３１で支持台１０に対して枢動され、ステープル・マガジン２１がステープルを詰めるために開く。したがって、ステープルのステープラーへの詰め替えは便利で容易である。さらに、補助レバー３４上のレールによる枢軸３５に対する制限効果のため、トリガー・レバー３１は支持台１０にほぼ垂直になる位置までしか枢動できない。そのため、ステープラーの重心は常に支持台１０の領域に保持され、ステープラーは、トリガー組立体３０が詰め替え位置に枢動するときでも、平面上に安定して維持される。
【００３５】
図１，５，８を参照するに、トリガー組立体３０が押圧されると、補助レバー３４は下方に移動し、トリガー・レバー３１を主軸１３の中心で下方に枢動させる。駆動タブ３２は下方に移動され、ステープルの１個がステープル・マガジン２１から解放されるように押圧する。解放されたステープルの脚部は、アンビル要素４５で折り返される。
【００３６】
下記の方程式は、このステープラーが省力的で使用に便利であることを証明するものである。これらの方程式は、補助レバー３４前端での入力Ｆ１と、枢軸３５への内力Ｆ２と、トリガー・レバー３１の前端への出力Ｆ３とを含む。補助レバー３４の長さと、枢軸３５から枢軸スタブ３４１までの距離との比率は、５である。トリガー・レバー３１の長さと、枢軸３５から主軸１３までの距離の比率は２である。
【００３７】
【数１】
0005582328.tif 000002
【００３８】
出力Ｆ３は入力Ｆ１の２．５倍であるから、このステープラーは省力的である。
【００３９】
図５乃至７を参照するに、トリガー・レバー３１が下方へ移動するとき、押し出し要素３６はトリガー・レバー３１と共に下方に移動し、滑動台４１上の被押し出しセグメントを押す。その結果、滑動台４１は支持台１０の後端の方へ押されて移動し、移動台４３への阻止効果を解除する。このため、アンビル要素４５を備えた移動台４３は下降し、解放されたステープルの脚部を折り返す。
【００４０】
押し出し要素３６はトリガー・レバー３１の中央に枢動可能にとりつけられているので、脚部扁平化手段４０は押し出し要素３６によって直接押される。そのため、ステープルの構造は単純化され、ステープラーの操作は正確に制御される。さらに、トリガー組立体３０はレバー装置としての省力性能を備えるように設計され、本発明によるステープラーの省力レバー・システム及び伝達システムは単一の支点を有する。異なる操作時期でのトリガー組立体３０の構成要素の作用は、押し出し要素３６を経て効率的に脚部扁平化手段４０に移転される。したがって、トリガー組立体３０の操作時間は短いので、ステープラーは省力的であり、その構造は簡素化される。
【図面の簡単な説明】
【００４１】
【図１】本発明に係るステープラーの斜視図。
【図２】図１におけるステープラーの分解斜視図。
【図３】図１におけるステープラーの後部斜視図。
【図４】ステープル詰め替えのため開放されたステープラーを示す図１のステープラーの斜視図。
【図５】図１におけるステープラーの部分断面側面図。
【図６】トリガー組立体が押圧された状態を示す、図１のステープラーの部分断面操作側面図。
【図７】押し出し要素によって滑動される脚部扁平化手段の滑動台を示す、図１におけるステープラーの部分断面操作側面図。
【図８】力の線を示す、図６におけるステープラーの側面図。
【符号の説明】
【００４２】
１０            支持台
１２            サイド・ボード
１４            マガジン・スプリング
２０            マガジン組立体              
３０            トリガー組立体
３４            補助レバー
３６            押し出し要素
４０            脚部扁平化手段
４１            滑動台
４３            移動台
４５            アンビル要素
【図１】
0005582328.tif 000003
【図２】
0005582328.tif 000004
【図３】
0005582328.tif 000005
【図４】
0005582328.tif 000006
【図５】
0005582328.tif 000007
【図６】
0005582328.tif 000008
【図７】
0005582328.tif 000009
【図８】
0005582328.tif 000010